(57)【要約】【課題】地震や津波等によって橋脚や橋桁の躯体のコンクリートが破壊された場合であっても、その躯体の形状を保持して橋梁の倒壊を防止し、しかも施工が容易で確実に効果を発揮させることを目的としている。【解決手段】橋脚１及び橋桁１０のうちの少なくとも一方のコンクリート造の躯体の表面に樹脂製の補強塗膜３，３０が被覆されてなり、補強塗膜３，３０は、イソシアネートと、ポリオール及びアミンのうちの少なくとも一方からなる硬化剤と、の化学反応により形成された化合物からなる。【選択図】図１
2014047513.tif 000002
【特許請求の範囲】
【請求項１】
橋脚及び橋桁のうちの少なくとも一方のコンクリート造の躯体の表面に樹脂製の補強塗膜が被覆されてなり、
前記補強塗膜は、イソシアネートと、ポリオール及びアミンのうちの少なくとも一方からなる硬化剤と、の化学反応により形成された化合物からなることを特徴とする橋梁。
【請求項２】
前記補強塗膜は、前記躯体のうち３面以上に設けられていることを特徴とする請求項１に記載の橋梁。
【請求項３】
前記補強塗膜は、前記躯体の全周に亘って設けられていることを特徴とする請求項１に記載の橋梁。
【発明の詳細な説明】
【技術分野】
【０００１】
本発明は、コンクリート造の橋脚及びコンクリート造の橋桁のうちの少なくとも一方を備える橋梁に関する。
なお、本願では、「橋梁」という用語を、河川や湖、海等の水面上を通過するための架空構造物だけでなく、陸上部を通過するための架空構造物である高架橋も含む広義の意味で使用する。
【背景技術】
【０００２】
従来から、コンクリート造の橋脚の補強工法として、橋脚の躯体にアラミド繊維シートや炭素繊維シートを巻き付けて補強する技術が知られている。例えば特許文献１に示された従来技術では、橋脚のうちの中間区間にアラミド繊維シートや炭素繊維シートを巻き付け、橋脚のうちの下側区間及び上側区間に高伸度繊維シートを巻き付けている。そして、上記特許文献１には、高伸度繊維シートとして、ポリエステル繊維シートやビニロン繊維シートが開示されており、また、高伸度繊維シートにより橋脚の表面を保持拘束することができるとしている。
【先行技術文献】
【特許文献】
【０００３】
【特許文献１】特開２００６−８３６１２号公報
【発明の概要】
【発明が解決しようとする課題】
【０００４】
しかしながら、上記した従来の技術では、仮に高伸度繊維シートが橋脚の表面に密着されていない場合、保持拘束の効果を十分に発揮することができない。したがって、高伸度繊維シートの貼り付け作業において、高伸度繊維シートの全体を躯体の表面に隙間無く密着させる必要があるが、これは難しい作業であり、高度な技術が必要である。特に、高伸度繊維シートが貼り付けられる躯体が複雑な形状をしている場合、高伸度繊維シートの全体を躯体の表面に隙間無く密着させるのは非常に難しくて煩雑である。
【０００５】
本発明は、上記した従来の問題が考慮されたものであり、地震や津波等によって橋脚や橋桁の躯体のコンクリートが破壊された場合であっても、その躯体の形状を保持して橋梁の倒壊を防止し、しかも施工が容易で確実に効果を発揮させることを目的としている。
【課題を解決するための手段】
【０００６】
本発明に係る橋梁は、橋脚及び橋桁のうちの少なくとも一方のコンクリート造の躯体の表面に樹脂製の補強塗膜が被覆されてなり、前記補強塗膜は、イソシアネートと、ポリオール及びアミンのうちの少なくとも一方からなる硬化剤と、の化学反応により形成された化合物からなることを特徴としている。
【０００７】
本発明では、イソシアネートと、ポリオール及びアミンのうちの少なくとも一方からなる硬化剤と、の化学反応により形成された化合物からなる補強塗膜が、せん断付着力が高く、曲げ引張強度が高く、かつ伸び性能が高い力学的特性（強度、伸び）に優れた合成樹脂であり、例えば１０〜２５ＭＰａ程度の高強度と例えば２００％以上の大きな破断伸び（伸び変形性能）を有する。このため、躯体の変形が塑性域に達しても、補強塗膜が躯体の大変形に追従して伸び変形するので、補強塗膜によって躯体の変形に応じたエネルギー吸収性能が発揮される。したがって、高い軸圧縮力、曲げ応力及びせん断応力に対応することが可能な構造体を設けることができる。
【０００８】
仮に、高軸圧縮力、曲げ応力及びせん断応力を受けることにより躯体の変形が塑性域に達してコンクリートが破壊されても、補強塗膜は伸びることはあっても破断せず、補強塗膜によって躯体の表面が被覆された状態が維持される。これにより、躯体のコンクリート片の散逸が防止され、また、躯体が転倒したり崩壊したりせずに自立した形状が保持される。例えば、巨大地震時に高軸圧縮力、曲げ応力及びせん断応力を受けることによって破壊が生じたコンクリート片が散乱したり、そのコンクリート片が周囲に飛散したりするといった被害の増大を防止することができる。
しかも、補強塗膜は変形抵抗を有しているので、地震時に橋脚や橋桁の躯体が撓み変形したときに、補強塗膜の変形抵抗力によって躯体を元の形状に戻す力が働く。その結果、躯体は、一旦大きく撓み変形した後に若干戻され、最終的な変形量が小さく抑えられる。
【０００９】
また、本発明の橋梁によれば、補強塗膜は躯体に吹き付けや塗布することによって形成されるので、補強塗膜と躯体の表面とを確実に密着させることが可能であり、従来技術のように躯体に繊維シートを巻き付ける場合に比べて、施工が容易である。
【００１０】
また、本発明に係る橋梁は、前記補強塗膜が、前記躯体のうち３面以上に設けられていることが好ましい。
【００１１】
これにより、躯体の３面以上が補強塗膜によって包み込まれた状態となり、その効果（ラッピング効果）により、上記した形状保持がより効果的に発揮される。
【００１２】
さらに、本発明に係る橋梁は、前記補強塗膜が、前記躯体の全周に亘って設けられていることがより好ましい。
【００１３】
これにより、閉じられた形状（筒状）の補強塗膜の内側に躯体が収容された状態となり、上記したラッピング効果が大きくなり、高い形状保持が発揮される。
【発明の効果】
【００１４】
本発明に係る橋梁によれば、地震や津波等によって橋脚や橋桁の躯体のコンクリートが破壊された場合であっても、その躯体の形状を保持して橋梁の倒壊を防止することができる。しかも、施工が容易で確実に効果を発揮させることができる。
【図面の簡単な説明】
【００１５】
【図１】本発明の実施の形態による橋梁の概略構成を示す断面図であって、橋梁の長さ方向に沿って切断した断面図である。
【図２】本発明の実施の形態による橋梁の概略構成を示す断面図であって、橋梁の幅方向に沿って切断した断面図である。
【図３】図１に示すＡ−Ａ間の断面図である。
【図４】図２に示すＢ−Ｂ間の断面図である。
【図５】ポリウレア樹脂の力学的特性を示すためのグラフであり、各材料の応力ひずみ関係を示すグラフである。
【図６】躯体の一部分を拡大した断面図である。
【図７】実施例１による試験結果を示す図である。
【図８】実施例２による試験結果を示す図である。
【図９】実施例３による試験結果を示す図である。
【発明を実施するための形態】
【００１６】
以下、本発明に係る橋梁の実施の形態について、図面に基いて説明する。
【００１７】
図１及び図２に示す橋梁１００は、陸上部を通過するための架空構造物である高架橋であり、特に、ラーメン構造の高架橋である。このような橋梁１００の概略構成としては、互いに間隔をあけて配置された複数の橋脚１と、各橋脚１の下端にそれぞれ接合された複数の基礎５と、各橋脚１の上端部間に架設された複数の橋桁１０と、複数の橋桁１０によって支持された床版１１と、を備える。
【００１８】
上記した橋脚１は、橋桁１０や床版１１を支持する鉄筋コンクリート造の柱構造体であり、高軸力を受ける構造体である。
【００１９】
図３は、上記した橋脚１の横断面を示している。なお、図３では図面を簡略化するために鉄筋の図示を省略している。
図３に示すように、橋脚１は、横断面視円形の柱状体であり、この橋脚１の躯体２の表面には、樹脂製の補強塗膜３が被覆されている。この補強塗膜３は、躯体２の全周に亘って設けられている。つまり、本実施の形態における補強塗膜３は、横断面視の形状が環状（閉じられた形状）、すなわち筒形状に形成されている。また、図１及び図２に示すように、本実施の形態における補強塗膜３は、橋脚１のうち、橋桁１０との接合部７の区間には設けられてなく、前記接合部７以外の区間全体に亘って被覆されている。ただし、本発明に係る橋梁では、前記接合部７の区間にも補強塗膜３が被覆されていてもよく、また、接合部７以外の区間のうち、コンクリートのひび割れや破壊が生じやすい区間にだけ補強塗膜３が被覆されていてもよい。
【００２０】
一方、上記した橋桁１０は、隣り合う２本の橋脚１，１の間に架設された鉄筋コンクリート造の梁構造体である。橋桁１０の両端部は、橋脚１，１にそれぞれ一体的に接合されており、かつ、その下面が橋脚１側に向かって下向きに傾斜するようにハンチ（垂直ハンチ）が形成されている。また、この橋桁１０は、鉄筋コンクリート造の床版１１にも一体的に接合されている。
【００２１】
図４は、上記した橋桁１０の横断面を示している。なお、図４では図面を簡略化するために鉄筋の図示を省略している。
図４に示すように、橋桁１０の躯体２０の表面には、樹脂製の補強塗膜３０が被覆されている。この補強塗膜３０は、躯体２０の下面２０ａ及び両側の側面２０ｂ，２０ｂにそれぞれ設けられている。つまり、本実施の形態における補強塗膜３０は、横断面視の形状が略コ字状、すなわちＵ字溝状に形成されている。また、補強塗膜３０の上端部はスラブ１１の下面に沿って屈曲した形状となっており、補強塗膜３０の端部はスラブ１１の下面まで延びている。また、図１及び図２に示すように、本実施の形態における補強塗膜３０は、橋桁１０の全長に亘って設けられている。ただし、本発明に係る橋梁では、橋桁１０のうち、コンクリートのひび割れや破壊が生じやすい区間にだけ補強塗膜３０が被覆されていてもよい。
【００２２】
［補強塗膜］
上記した補強塗膜３，３０は、躯体２，２０の表面に吹き付けやローラーなどで塗布される樹脂製の塗膜であって、イソシアネートと、ポリオール及びアミンのうちの少なくとも一方からなる硬化剤との化学反応により形成された化合物からなる。例えば、補強塗膜３，３０としては、イソシアネートとアミンとの化学反応により形成された化合物であるポリウレア樹脂を用いることができる。
【００２３】
補強塗膜３，３０は、せん断付着力が高く、曲げ引張強度が高く、かつ伸び性能が高い力学的特性（強度、伸び）に優れた合成樹脂からなり、例えばポリウレア樹脂の場合は、図５に示す応力ひずみ特性を有する。補強塗膜３，３０を構成する合成樹脂としては、例えば引張強度が鉄筋の十分の一程度の２０ＭＰａ程度（１０〜２５ＭＰａ）であって、破断伸びが２００％以上の物性を有する樹脂からなる。ポリウレア樹脂としては、例えば「スワエールＡＲ−１００（登録商標：三井化学産資株式会社製）」が用いられる。なお、補強塗膜３，３０の厚さ寸法Ｄは、２ｍｍ以上であることが好ましい。
【００２４】
ここで、躯体２，２０に補強塗膜３，３０を被覆する施工方法としては、塗布するコンクリート表面を十分に清掃して塵等を取り除いた後、プライマーを塗布し、その後、補強塗膜材料を躯体２，２０の表面に所定厚さだけ塗布する。これにより、躯体２，２０の表面に補強塗膜３，３０が形成される。なお、プライマーの塗布は省略することも可能であり、或いは、補強塗膜３，３０と躯体２，２０との付着性を高めるために躯体２，２０の表面を斫って凸凹に加工してもよい。
【００２５】
次に、上記した構成からなる橋梁１００の作用について、具体的に説明する。
上述したように、本実施の形態では、補強塗膜３，３０が、せん断付着力が高く、曲げ引張強度が高く、かつ伸び性能が高い力学的特性（強度、伸び）に優れた合成樹脂であるため、躯体２，２０の変形が塑性域に達しても、補強塗膜３，３０が躯体２，２０の大変形に追従して伸び変形するので、補強塗膜３，３０によって躯体２，２０の変形に応じたエネルギー吸収性能が発揮される。したがって、高い軸圧縮力、曲げ応力及びせん断応力に対応することが可能な橋脚１や橋桁１０を設けることができる。
【００２６】
仮に、高い軸圧縮力、曲げ応力及びせん断応力を受けることにより躯体２，２０の変形が塑性域に達してコンクリートが破壊されても、補強塗膜３，３０は伸びることはあっても破断せず、補強塗膜３，３０によって躯体２，２０の表面が被覆された状態が維持される。これにより、躯体２，２０のコンクリート片の散逸が防止され、また、躯体２，２０が転倒したり崩壊したりせずに自立した形状を保持される（形状保持）。例えば、巨大地震時に高軸圧縮力、曲げ応力及びせん断応力を受けることによって破壊が生じたコンクリート片が散乱したり、そのコンクリート片が周囲に飛散したりするといった被害の増大を防止することができる。
【００２７】
また、補強塗膜３，３０は変形抵抗を有しているので、地震時に橋脚１や橋桁１０の躯体２，２０が撓み変形したときに、補強塗膜３，３０の変形抵抗力によって躯体２，２０を元の形状に戻す力が働く。その結果、躯体２，２０は、一旦大きく撓み変形した後に若干戻され、最終的な変形量が小さく抑えられる。
【００２８】
また、補強塗膜３，３０を躯体２，２０の表面に吹き付けたり塗布したりするだけなので、補強塗膜と躯体の表面とを確実に密着させることが可能であり、容易に且つ安価に施工することができる。
【００２９】
また、図６に示すように、躯体２（２０）にクラックC（ひび割れ）が生じても、補強塗膜３（３０）はその伸縮性によって破断しない。この場合、補強塗膜３（３０）は伸び変形しているので、補強塗膜３（３０）の弾性力によって戻る方向の力Ｅが作用する。この力は、クラックCの幅を拡げる力Ｓに抵抗する方向に作用するため、結果的に、クラックCの開き量ｄが小さく抑えられる。
【００３０】
また、本実施の形態の橋脚１及び橋桁１０では、補強塗膜３，３０が躯体２，２０のうち３面以上に設けられているので、躯体２，２０が補強塗膜３，３０によって包み込まれた状態となり、そのようなラッピング効果により、上記した形状保持がより効果的に発揮される。
【００３１】
特に、本実施の形態の橋脚１では、補強塗膜３が躯体２の全周に亘って設けられているので、閉じられた形状（筒状）の補強塗膜３の内側に躯体２が収容された状態となり、上記したラッピング効果が大きくなり、高い形状保持が発揮される。
【００３２】
また、特に、本実施の形態の橋桁１０では、補強塗膜３０が躯体２０の下面２０ａ及び両側の側面２０ｂ，２０ｂにそれぞれ設けられて断面視略コ字状に形成されているので、Ｕ字溝状に形成された補強塗膜３０の内側に躯体２０が収容された状態となり、上記したラッピング効果が大きくなり、高い形状保持が発揮される。
【００３３】
上述したように、本実施の形態の橋梁１００によれば、地震や津波等によって橋脚１や橋桁１０の躯体２，２０のコンクリートが破壊された場合であっても、その躯体２，２０の形状を保持して橋梁１００の倒壊を防止することができる。しかも、施工が容易で確実に効果を発揮させることができる。
【００３４】
また、本実施の形態の橋梁１００では、軸力を受ける橋脚１の圧縮靭性を向上させることができる。これにより、橋梁１００の上部構造の耐震要素の性能を最大限に発揮させ、高い靭性能を付与することができ、橋梁１００の地震に対する耐力および靭性能を向上させることができる。
【００３５】
次に、上述した実施の形態による橋梁１００の効果を裏付けるために行った試験例（実施例１、２、３）について以下説明する。
【００３６】
（実施例１）
実施例１では、矩形断面の鉄筋コンクリート製の梁材を試験体に使用し、その梁材の表面にポリウレア樹脂を塗布した試験体１、２、３と、ポリウレア樹脂を塗布しない試験体４とに対して載荷装置を使用した衝撃曲げ試験を行い、ポリウレア樹脂の塗布状況を変えた試験体１〜４の変形状態（亀裂や剥離）を確認した。
各試験体１〜４の梁材は、縦１００ｍｍ×横１２０ｍｍで長さ寸法が１２００ｍｍの６面を有する構造体であり、４週強度で２５Ｎ／ｍｍ２のコンクリートを使用している。さらに、試験体１〜４の内部にＤ１３（芯被り３５ｍｍ）、せん断補強筋Ｄ６を使用している。そして、載荷条件としては、試験体１〜４を長さ方向を水平方向に向けて配置し、試験体１〜４の長さ方向の中心部に対して３０ｋＮの荷重を準静的な０．０００１ｍ／ｓの速度で載荷を付与した。
【００３７】
ここで、試験体１は梁材の６面に塗布厚４ｍｍのポリウレア樹脂を塗布したものであり、試験体２は梁材の６面に塗布厚２ｍｍのポリウレア樹脂を塗布したものであり、試験体３は梁材のうち長さ方向を水平方向に向けた状態で上面および下面の２面のみに塗布厚２ｍｍのポリウレア樹脂を塗布したもの（４側面にポリウレア樹脂を塗布しない場合）であり、試験体４はポリウレア樹脂を施していないものである。
【００３８】
図７は、上記試験体１〜４において、横軸を載荷点の変形量δ（ｍｍ）とし、縦軸を荷重Ｐ（ｋＮ）とした曲げ試験結果を示している。
図７に示すように、試験体４の場合には、変形量δが略４０ｍｍで破壊し、その破壊箇所においてコンクリート片が生じた。
上下２面にポリウレア樹脂２ｍｍを塗布した試験体３の場合は、変形量δが略６０ｍｍで破壊しているが、ポリウレア樹脂を塗布しない試験体４の場合よりはじん性が高い、つまり拘束効果（ラッピング効果）を有し、一定の形状保持効果があることが確認された。
また、梁材の表面全周（６面）にポリウレア樹脂を塗布した試験体１、２においては、降伏後（図７の降伏点Ｐ１より右側）でも３０ｋＮの荷重が維持されていることが確認できることから、ラッピング効果が大きく、形状保持効果が高いことがわかる。
【００３９】
（実施例２）
次に、実施例２では、上記実施例１における梁材の６面に塗布厚２ｍｍでポリウレア樹脂を塗布し、衝撃曲げ試験で載荷速度を変えた試験を行い、変形状態（亀裂や剥離）を確認した。
第１試験Ｔ１は４ｍ／ｓ（高速）の載荷速度とし、第２試験Ｔ２は０．５〜１ｍ／ｓ（中速）の載荷速度とし、第３試験Ｔ３は０．１〜０．５ｍ／ｓ（低速）の載荷速度とし、第４試験Ｔ４は０．０００１ｍ／ｓ（準静的速度）の載荷速度とした。
【００４０】
図８は、上記第１試験Ｔ１〜第４試験Ｔ４において、横軸を載荷点の変形量δ（ｍｍ）とし、縦軸を荷重Ｐ（ｋＮ）とした曲げ試験結果を示している。
図８に示すように、各試験Ｔ１〜Ｔ４ともに降伏後でも準静的最大荷重が維持されていることがわかる。このことから、ポリウレア樹脂を梁材の６面全体にわたって塗布する場合には、載荷速度にかかわらず、準静的最大荷重が維持されることを確認することができる。このとき、梁材の試験体は大きく変形し、約５度程度の角度で屈曲していたが、コンクリート片が生じることもなく、梁材としての形状が保持されていた。このように、ポリウレア樹脂を塗布した梁材は、衝撃や持続的な加力に対して有効であり、コンクリート片の発生を防ぐことができることが確認できた。
【００４１】
（実施例３）
実施例３では、矩形断面の鉄筋コンクリート製の梁材を試験体に使用し、その梁材の表面にポリウレア樹脂を塗布した試験体１´、２´と、ポリウレア樹脂を塗布しない試験体３´とに対して載荷装置を使用した衝撃曲げ試験を行い、ポリウレア樹脂の塗布状況を変えた試験体１´〜３´の変形状態（亀裂や剥離）を確認した。
各試験体１´〜３´の梁材は、縦１５０ｍｍ×横１５０ｍｍで長さ寸法が４５０ｍｍの６面を有する構造体であり、４週強度で２５Ｎ／ｍｍ２のコンクリートを使用している。さらに、試験体１´〜３´の内部にＤ１３（芯被り３５ｍｍ）、せん断補強筋Ｄ６を使用している。そして、載荷条件としては、試験体１´〜３´を長さ方向を水平方向に向けて配置し、試験体１´〜３´の長さ方向の中心部に対して３０ｋＮの荷重を準静的な０．０００１ｍ／ｓの速度で載荷を付与した。
【００４２】
ここで、試験体１´は梁材の６面に塗布厚４ｍｍのポリウレア樹脂を塗布したものであり、試験体２´は梁材の上面以外の５面に塗布厚４ｍｍのポリウレア樹脂を塗布したものであり、試験体３´はポリウレア樹脂を施していないものである。
【００４３】
図９は、上記試験体１´〜３´において、横軸を載荷点の変形量δ（ｍｍ）とし、縦軸を荷重Ｐ（ｋＮ）とした曲げ試験結果を示している。
図９に示すように、試験体３´の場合には、変形量δが略０．６５ｍｍで破壊し、その破壊箇所においてコンクリート片が生じた。
上面以外の５面にポリウレア樹脂４ｍｍを塗布した試験体２´の場合は、変形量δが略９ｍｍで破壊しているが、ポリウレア樹脂を塗布しない試験体３´の場合よりはじん性が高い、つまり拘束効果（ラッピング効果）を有し、一定の形状保持効果があることが確認された。
また、梁材の表面全周（６面）にポリウレア樹脂を塗布した試験体１´においては、変形量δが略３０〜３５ｍｍで破壊しているが、５面にポリウレア樹脂を塗布した試験体２´の場合よりは更にじん性が高い、つまりラッピング効果が大きく、形状保持効果が高いことがわかる。
【００４４】
以上、本発明に係る構造体の実施の形態について説明したが、本発明は上記した実施の形態に限定されるものではなく、その趣旨を逸脱しない範囲で適宜変更可能である。
例えば、上記した実施の形態では、橋脚１及び橋桁１０の両方の躯体２，２０の表面に補強塗膜３，３０が被覆された橋梁１００について説明しているが、本発明は、橋脚１及び橋桁１０の両方の躯体２，２０の表面に補強塗膜３，３０が被覆されているが、本発明は、橋脚１の躯体２の表面にのみ補強塗膜３が被覆されて橋桁１０の躯体２０の表面に補強塗膜３０が塗布されていない構成であってもよく、或いは、反対に、橋桁１０の躯体２０の表面にのみ補強塗膜３０が被覆されて橋脚１の躯体２の表面に補強塗膜３が塗布されていない構成であってもよい。さらに、本発明は、張り出し梁部の躯体に補強塗膜３０を被覆させてもよい。
【００４５】
また、上記した実施の形態では、ラーメン構造の高架橋である橋梁１００について説明しているが、本発明は、ラーメン構造の高架橋に限定されるものではなく、コンクリート造の橋梁であれば他の構造であってもよい。さらに、本発明は、河川や湖、海等の水面上を通過するための橋梁であってもよい。
【００４６】
また、上記した実施の形態では、補強塗膜３が橋脚１の躯体２の全周に亘って被覆されているが、本発明に係る橋梁は、補強塗膜３が橋脚１の躯体２の表面のうちの周方向の一部を除いて被覆した構成、つまり、補強塗膜３が横断面視Ｃ字形状の構成であってもよく、この場合でも、上記したラッピング効果をある程度は発揮することができる。さらに、補強塗膜３が橋脚１の躯体２の表面のうちの周方向の一部のみを被覆した構成であってもよく、この場合であっても、上記したラッピング効果が発揮されないが、上記した形状保持の効果を奏することができる。
【００４７】
さらに、本発明では、橋脚が角柱形状或いは壁形状であってもよく、その場合でも、補強塗膜３が橋脚の躯体の表面の全周に亘って設けられていることで高いラッピング効果を奏することができる。ただし、補強塗膜３が角柱形状或いは壁形状の橋脚の躯体の３面だけを被覆した構成であってもよく、この場合でも、上記したラッピング効果を発揮することができる。さらに、補強塗膜３が角柱形状或いは壁形状の橋脚の躯体の表面のうちの２面あるいは１面だけを被覆している構成であってよく、この場合であっても、上記したラッピング効果が発揮されないが、上記した形状保持の効果を奏することができる。
【００４８】
また、上記した実施の形態では、補強塗膜３０が橋桁１０の躯体２０の下面２０ａ及び両側の側面２０ｂ，２０ｂに被覆されているが、本発明に係る橋梁は、補強塗膜３０が橋桁１０の躯体２０の下面２０ａ及び両側の側面２０ｂ，２０ｂのうちの２つの面あるいは１つの面だけを被覆した構成であってもよく、この場合であっても、上記したラッピング効果が発揮されないが、上記した形状保持の効果を奏することができる。さらに、橋桁１０がスラブ１１に一体に接合されていない場合には、橋桁１０の上面にも補強塗膜３０が被覆された構成であってもよい。
【００４９】
さらに、補強塗膜３，３０において、例えばガラス片やガラス繊維、ガラスフリット等を分散させてなる不燃性を有する混入材を、ポリウレア樹脂に混入させることも可能である。あるいは混入材として、例えばコンクリート、煉瓦、瓦、石綿スレート、鉄鋼、アルミニウム、モルタル、漆喰等のガラス以外の不燃材料であっても良い。
【００５０】
また、上記した実施の形態では、補強塗膜３，３０として、イソシアネートとアミンとの化学反応により形成された化合物からなるポリウレア樹脂が用いられているが、本発明は、イソシアネートとポリオールとの化学反応により形成された化合物からなるポリウレタン樹脂を補強塗膜として用いることも可能であり、また、イソシアネートとポリオールとアミンとの化学反応により形成された化合物からなる樹脂を補強塗膜として用いることも可能である。
【００５１】
その他、本発明の趣旨を逸脱しない範囲で、上記した実施の形態における構成要素を周知の構成要素に置き換えることは適宜可能である。
【符号の説明】
【００５２】
１・・・橋脚
２，２０・・・躯体
３，３０・・・補強塗膜
１０・・・橋桁
１００・・・橋梁
【図１】
2014047513.tif 000003
【図２】
2014047513.tif 000004
【図３】
2014047513.tif 000005
【図４】
2014047513.tif 000006
【図５】
2014047513.tif 000007
【図６】
2014047513.tif 000008
【図７】
2014047513.tif 000009
【図８】
2014047513.tif 000010
【図９】
2014047513.tif 000011